(57)【要約】      （修正有）【課題】分包袋の適切な位置にラベルを貼り付けるができるように構成されたラベルロール及び薬剤監査装置を提供する。【解決手段】ラベルロール１０は、薬剤が分包された分包袋にラベル１１を貼り付けるラベル貼り付け部を有する薬剤認識装置に設けられる。ラベルロール１０においては、ラベル１１が剥離紙１２に貼り付けられている。ラベルロール１０は、ラベル１１を分包袋に貼り付けるための制御に用いられるアイマーク１４を有している。【選択図】図１
0003218090.tif 000002
【実用新案登録請求の範囲】
【請求項１】
薬剤が分包された分包袋にラベルを貼り付けるラベル貼り付け部を有する薬剤認識装置に設けられ、前記ラベルが剥離紙に貼り付けられたラベルロールにおいて、
前記ラベルを前記分包袋に貼り付けるための制御に用いられる特定マークを有するラベルロール。
【請求項２】
前記剥離紙のうち、一方の面に前記ラベルが貼り付けられており、他方の面に前記特定マークが形成されている請求項１記載のラベルロール。
【請求項３】
前記剥離紙のうち前記ラベルが貼り付けられた貼付面の裏側に位置するラベル領域の少なくとも一部に対して、前記特定マークが設けられる請求項２記載のラベルロール。
【請求項４】
薬剤が分包された分包袋にラベルを貼り付けるラベル貼り付け部と、
前記ラベルが剥離紙に貼り付けられたラベルロールとを備え、
前記ラベルロールは、前記ラベルを前記分包袋に張り付けるタイミングの制御に用いられる特定マークを有する薬剤認識装置。
【考案の詳細な説明】
【技術分野】
【０００１】
本考案は、薬剤監査装置などの薬剤認識装置に用いられるラベルロール及び薬剤認識装置に関する。
【背景技術】
【０００２】
従来、薬局または医療関係機関等において、調剤され、分包袋に分包された分包薬剤が処方情報の内容と合っているか否かを確認する薬剤監査業務等の薬剤認識業務が行われている。薬剤監査業務を例にとると、薬剤監査業務において使用される薬剤監査装置では、処方情報に基づく分包薬剤の画像（分包薬剤マスタ画像）を作成する（例えば特許文献１参照）。そして、分包薬剤マスタ画像の作成後、分包薬剤の撮影を行い、分包薬剤マスタ画像と、分包薬剤を撮影した撮影画像とを照合することにより、各分包袋ごとに処方情報通りに薬剤が分包されているか否かを確認することができる。また、薬剤監査装置においては、分包袋の処方情報の内容を把握することができるように、各分包袋に対しては、処方情報の内容が印刷されたラベルが貼り付けられている。
【先行技術文献】
【特許文献】
【０００３】
【特許文献１】特開２０１７−１９２６５１号公報
【考案の概要】
【考案が解決しようとする課題】
【０００４】
上記のように、ラベルに対して処方情報の印刷をして分包袋にラベルを貼り付ける際には、ラベルロールからラベルが貼り付けられた剥離紙を引き出し、剥離紙上のラベルに処方情報の内容を印刷する。処方情報を印刷済みのラベルは剥離紙から剥がされ、この剥がされたラベルを、薬剤監査装置内で搬送中の分包袋に対して貼り付けられる。しかしながら、搬送中の分包袋に対して、ラベルを貼り付けるタイミング等が合わずに、ラベルが分包袋の適切な位置に貼り付けられてないことがあった。
【０００５】
本考案は、上記課題を鑑みてなされたものであり、分包袋の適切な位置にラベルを貼り付けるができるように構成されたラベルロール及び薬剤監査装置を提供することを目的とする。
【課題を解決するための手段】
【０００６】
本考案は、薬剤が分包された分包袋にラベルを貼り付けるラベル貼り付け部を有する薬剤認識装置に設けられ、ラベルが剥離紙に貼り付けられたラベルロールにおいて、ラベルを分包袋に貼り付けるための制御に用いられる特定マークを有する。
【０００７】
剥離紙のうち、一方の面にラベルが貼り付けられており、他方の面に特定マークが形成されていることが好ましい。剥離紙のうちラベルが貼り付けられた貼付面の裏側に位置するラベル領域の少なくとも一部に対して、特定マークが設けられることが好ましい。薬剤が分包された分包袋にラベルを貼り付けるラベル貼り付け部と、ラベルが剥離紙に貼り付けられたラベルロールとを備え、ラベルロールは、ラベルを分包袋に張り付けるタイミングの制御に用いられる特定マークを有する。
【考案の効果】
【０００８】
本考案は、分包袋の適切な位置にラベルを貼り付けるができるように構成されている。
【図面の簡単な説明】
【０００９】
【図１】本考案のラベルロールである。
【図２】分包薬剤を含む分包袋を示す斜視図である。
【図３】搬送補助シートを用いる薬剤監査装置の斜視図である。
【図４】薬剤監査装置の要部断面図である。
【図５】薬剤監査業務中の薬剤監査装置の斜視図である。
【図６】薬剤監査装置が作成した分包薬剤マスタ画像と、薬剤撮影画像の一覧表の一例である。
【考案を実施するための形態】
【００１０】
薬剤認識業務として薬剤監査業務を例にとり、説明する。
図１に示すように、ラベルロール１０は、ラベル１１と、このラベル１１が貼り付けられ、巻き芯１０Ａに対して巻き付けられた剥離紙１２とを有している。ラベル１１は、巻き付け方向Ｒに対して一定の間隔で剥離紙１２に貼り付けられている。ラベルロール１０は、後述するように、薬剤監査装置２１に設けられたラベル貼り付け部２９に装着される。ラベル貼り付け部２９においては、剥離紙１２からラベル１１を剥がして、剥がしたラベル１１を、薬剤監査装置２１内で搬送中の分包袋１３の特定の位置に対して貼り付ける。剥離紙１２には、ラベル１１が貼り付けられた表面（一方の面）の反対の裏面（他方の面）に対して、ラベル貼り付け部２９によってラベル１１を分包袋１３に貼り付けるための制御に用いられるアイマーク１４（特定マーク）が設けられている。
【００１１】
アイマーク１４を形成する位置に関しては、剥離紙１２のうちラベル１１が貼り付けられている貼付面の裏側に位置するラベル領域１５の少なくとも一部に設けることが好ましい。また、アイマーク１４は、ラベル領域１５ではなく、ラベル領域１５の側端部１５Ａと剥離紙１２の側端部１２Ａとの間に設けるようにしてもよい。また、ラベル１１を分包袋１３の所定位置に確実に貼り付けるためには、各ラベル領域１５にアイマーク１４を１つずつ設けることが好ましいが、各ラベル領域１５ではなく、いくつかのラベル領域１５おきに１つずつアイマーク１４を設けるようにしてもよい。また、ラベル領域１５の他に、ラベル１１が貼り付けられていない剥離紙１２の先端部１２Ｘ（巻き始めの部分）又は終端部（巻き終わりの部分）に対して、アイマーク１４を設けてもよい。なお、図１では、説明のために、ラベル領域１５をラベル１１の領域よりもやや狭く記載しているが、実際は、ラベル領域１５とラベル１１の領域は同じである。
【００１２】
図２に示すように、分包袋１３には、薬局または医療関係機関等において調剤され、各服用時点で服用すべき１又は複数の薬剤（以下、分包薬剤とする。）１６が分包されている。後述する薬剤監査装置２１では、複数の分包袋１３が一列に連結したものを用いて薬剤監査業務を行う。薬剤監査装置２１では、ラベル印刷部２７によって、分包薬剤１６の内容や服用時点などの処方情報がラベル１１に印刷される。そして、薬剤情報が印刷済みのラベル１１は、ラベル貼り付け部２９によって分包袋１３に貼り付けられる。
【００１３】
図３に示すように、分包袋１３は、薬剤監査業務を行う薬剤師によって、薬剤監査装置２１の挿入口２２を通じて薬剤監査装置２１の内部へ挿入される。挿入口２２の下部には、挿入ステージ２３が設けられている。挿入ステージ２３は、挿入口２２から水平方向に延設されている。
【００１４】
図４に示すように、薬剤監査装置２１では、挿入ステージ２３の奥側に、分包袋搬送機構２４、カメラ２５、ラベル搬送機構２６、ラベル印刷部２７、アイマーク読み取り部２８、及びラベル貼り付け部２９が設けられている。分包袋搬送機構２４は、例えば搬送ベルトなどから構成され、搬送面２４Ａが挿入ステージ２３と同じ位置に配されている。これにより、分包袋搬送機構２４は、挿入口２２から挿入された分包袋１３を、分包袋搬送方向Ｘに沿って、薬剤監査装置２１の内部へ順次搬送する。カメラ２５は、分包袋搬送機構２４によって搬送された分包袋１３の分包薬剤１６を順次撮影する。なお、図４では、分包袋搬送機構２４の一部のみを図示しており、複数の分包袋搬送機構２４を配置して挿入口２２から排出口３０まで分包袋１３を搬送可能とすることが好ましい。
【００１５】
ラベル搬送機構２６は、ラベルロール１０から剥離紙１２を引き出し、引き出された剥離紙１２を、ラベル搬送方向Ｙに沿って、搬送する。ラベル搬送方向Ｙは分包袋搬送方向Ｘと同じ方向であることが好ましい。ラベル印刷部２７は、搬送中の剥離紙１２に貼り付けられているラベル１１に対して、処方情報を印刷する。アイマーク読み取り部２８は、搬送中の剥離紙１２の裏面に設けられたアイマーク１４を読み取る。読み取った情報は、ラベル貼り付け部２９に送られる。ラベル貼り付け部２９は、アイマーク読み取り部２８での読み取り結果に基づいて、剥離紙１２からラベル１１を剥がし、剥がしたラベル１１を分包袋１３に貼り付ける。アイマーク１４を用いてラベル１１の貼り付けを行うことにより、ラベル１１を分包袋１３の特定の位置に確実に貼り付けることができるようになる。
【００１６】
図５に示すように、薬剤監査装置２１の前面側には、回収ボックス３２と収納ボックス３１とが配置され、収納ボックス３１の中に収納された分包袋１３の一端が引き出されて薬剤監査装置２１の内部へ挿入される。分包薬剤１６の撮影及びラベル１１の貼り付けを終えた分包袋１３は、分包袋搬送機構２４によって薬剤監査装置２１の内部を搬送され、排出口３０から回収ボックス３２の中へ順次排出される。
【００１７】
薬剤監査装置２１は、有線又は無線を介してモニタ３３と接続された状態で使用される。薬剤監査装置２１は、図示しないバーコードリーダ、コンピュータなどの情報入力装置から送信されてくる処方情報を取得し、処方情報に基づいて、分包薬剤マスタ画像を作成する。
【００１８】
薬剤監査装置２１では、分包薬剤マスタ画像の作成後、上述したカメラ２５によって分包薬剤１６の撮影が行われる。そして、分包薬剤マスタ画像と、分包薬剤１６を撮影した撮影画像とを照合し、撮影画像中に存在する薬剤がどの薬剤に該当するかを判別する。そして、分包薬剤マスタ画像と、撮影画像のうち、分包薬剤マスタ画像に含まれる薬剤に該当すると判別された分包薬剤の画像（薬剤撮影画像）とを対比するために、それぞれの画像が所定の位置に配列された一覧表を作成する。薬剤監査装置２１は、作成した一覧表をモニタ３３に表示する。
【００１９】
図６は、薬剤監査装置２１で作成され、モニタ３３に表示される一覧表の一例である。この一覧表３５では、一列に並んで配された分包薬剤マスタ画像３６に位置を合わせて、分包薬剤１６の薬剤撮影画像３７が撮影された順に並んで表示されている。薬剤撮影画像３７は、分包された一回分の各分包袋１３ごとに一列に並んで配されている。薬剤監査業務において、薬剤師は、各分包袋１３ごとに処方情報通りに分包薬剤１６が分包されているか否かを、一覧表３５により確認することができる。
【００２０】
また、分包薬剤マスタ画像３６と、薬剤撮影画像３７とを照合した際、分包薬剤マスタ画像３６と一致せず、薬剤の種類が不明な薬剤撮影画像３７が存在する場合がある。この場合、薬剤の種類が不明な薬剤撮影画像３７は、分包薬剤マスタ画像３６よりも上部に位置する不明物表示部３８に表示される。図６に示す例では、左から３番目の分包薬剤１６の薬剤撮影画像３７の中に種類が不明なものがあり、不明物表示部３８に表示されている。
【符号の説明】
【００２１】
１０  ラベルロール
１０Ａ  巻き芯
１１  ラベル
１２  剥離紙
１２Ａ  側端部
１２Ｘ  先端部
１３  分包袋
１４  アイマーク
１５  ラベル領域
１５Ａ  側端部
１６  分包薬剤
２１  薬剤監査装置
２２  挿入口
２３  挿入ステージ
２４  分包袋搬送機構
２４Ａ  搬送面
２５  カメラ
２６  ラベル搬送機構
２７  ラベル印刷部
２８  アイマーク読み取り部
２９  ラベル貼り付け部
３０  排出口
３１  収納ボックス
３２  回収ボックス
３３  モニタ
３５  一覧表
３６  分包薬剤マスタ画像
３７  薬剤撮影画像
３８  不明物表示部
【図１】
0003218090.tif 000003
【図２】
0003218090.tif 000004
【図３】
0003218090.tif 000005
【図４】
0003218090.tif 000006
【図５】
0003218090.tif 000007
【図６】
0003218090.tif 000008